(57)【要約】【課題】  従来の照明器具でスイッチ「切」後一定時間点灯を継続させる為に、照明器具とは別に非常灯が必要であった。非常灯は、照明器具とは異なる電源のバッテリーとタイマーが必要であり、小規模な、個別照明には設備費用が高価となり不向きであった。又、照明器具▲７▼に電源回路▲１２▼を設置すると照明器具▲７▼の製造工程を変更する必要がある。【解決手段】  上記の課題を解決する為、本考案では、スイッチ▲２▼の作動後または停電後、電源回路▲１２▼の充電されたコンデンサー▲６▼より照明器具▲７▼に電力を供給させる電源回路▲１２▼を照明器具▲７▼の外部器具に内蔵させることで照明器具▲７▼の改造をせず、消灯時の時限点灯、停電時の時限点灯を可能とした。又、照明器具▲７▼は非常灯の機能を有するので、別途非常灯を設置する必要がない。【選択図】図１
2008192591.tif 000002
【特許請求の範囲】
【請求項１】
電源▲１▼又はスイッチ▲２▼に連動して照明器具▲７▼の時限点灯をコンデンサー▲６▼を含む電気回路▲１２▼の方法により実施する事を特徴とした、プラグ▲１５▼、コンセント▲１７▼、及び回路挿入器具▲１８▼。
【請求項２】
電源▲１▼又はスイッチ▲２▼に連動して照明器具▲７▼の時限点灯をタイマー▲８▼を含む電気回路▲１２▼の方法により実施する事を特徴とした、プラグ▲１５▼、コンセント▲１７▼、及び回路挿入器具▲１８▼。
【発明の詳細な説明】
【技術分野】
【０００１】  本発明は、消灯時、または、停電時に照明器具を一定時間点灯を継続させる事を可能にする器具に関する技術である。
【背景技術】
【０００２】  従来の照明器具はスイッチを「切」とすると即、消灯した。例外的に消防法で規定されたビル、ホール、ホテル、工場、地下街等の非常灯等、バッテリーを内蔵する照明器具は「切」後一定時間点灯を継続している。尚、非常灯は常用の照明器具とは別に設置される。
【発明が解決しようとする課題】
【０００３】  時限点灯を可能とした照明器具▲７▼についての考案については、実用新案登録第３１２７２９０に示す。同考案は照明器具▲７▼にコンデンサー▲６▼または遅延リレー▲８▼を含む電気回路▲１２▼を内蔵させた技術であった。
しかし、既設の照明器具▲７▼の改造が必要となり、照明器具▲７▼の製造工程の変更が必要となる考案であった。又、同考案は整流器が▲１４▼が無いので蓄電効率が悪かった。その他、従来の技術は常用の照明器具▲７▼が停止た場合、別途設置した非常灯で照明を実施する必要があった。
【課題を解決するための手段】
【０００４】  上記の課題を解決する為、本発明では、照明器具▲７▼の外部にある器具にコンデンサー▲６▼または遅延リレー▲８▼を含む電気回路▲１２▼を内蔵させることにより、解決した。尚、時限点灯の方法については図１，図２，に示す。
図１はスイッチ▲２▼が「入」の状態で照明器具▲７▼は点灯しているが、電源▲１▼が停電になった時のみ、照明器具▲７▼を一定時間点灯させる方法を示す。常用の照明器具▲７▼は非常灯を兼ねる事となるので別途非常灯を設置する必要は無い。
図１は、スイッチ▲２▼による消灯時、または停電時、の状況を照明リレー▲３▼が検知し、電気回路▲１２▼中の充電されたコンデンサー▲６▼より照明器具▲７▼に電力を供給させることで消灯時、停電時の時限点灯を可能とした。
図２は、スイッチ▲２▼による消灯時、電気回路▲１２▼中の遅延リレー▲８▼により一定時間、電源▲１▼より照明器具▲７▼に電力を供給させることで時限点灯を可能とする方法を示す。
上記に示す電気回路▲１２▼を図３，図４，図５，に示如く照明器具▲７▼の外部に設置する器具に内蔵させる事により、照明器具▲７▼の製造工程の変更を不必要とした。
【発明の実施形態】
【０００５】  次に本発明の実施形態について説明する。
図１は消灯時、停電時、一定時間照明器具▲７▼の点灯を継続させる実施例を示す。電源▲１▼に取り付けられた照明器具▲７▼はスイッチ▲２▼を「入」「切」することにより点灯、消灯される。なお、照明器具▲７▼とは白熱電球、蛍光灯、その他電力により光を発する器具である。図１に於ける一点鎖線内が電源回路▲１２▼であり、図２，も共通である。図１において電気回路▲１２▼は、照明リレー▲３▼、リレーＡ▲４▼、リレーＢ▲５▼、コンデンサー▲６▼、コイル▲１３▼、整流器▲１４▼により構成される。スイッチ▲２▼は、電気回路▲１２▼の外部にある。
スイッチ▲２▼を「入」とすると電源▲１▼より電力が照明器具▲７▼に供給され照明器具▲７▼は点灯する。この時、照明リレー▲３▼は励磁されリレーＡ▲４▼はＯＮ、リレーＢ▲５▼がＯＦＦとなり、コンデンサー▲６▼に電力が充電される。スイッチ▲２▼を「切」とすると、電源▲１▼より照明器具▲７▼に供給される電力は停止される。この時、照明リレー▲３▼は消磁されリレーＡ▲４▼はＯＦＦ、リレーＢ▲５▼がＯＮとなり、充電されたコンデンサー▲６▼より一定時間電力が照明器具▲７▼に供給されるので照明器具▲７▼は点灯を継続する。点灯はコンデンサー▲６▼より電力の供給が停止するまで実施され、コンデンサー▲６▼よりの電力供給が停止すると自然に消灯する。スイッチ「切」後の点灯時間はコンデンサー▲６▼の充電容量により決定される。この時、コンデンサー▲６▼の電力はコイル▲１３▼、整流器▲１４▼により、直流で供給されるので、効率が上昇しコンデンサー▲６▼の小型化が可能となる。
以上により消灯時の時限点灯が可能となる。スイッチ▲２▼が「入」の状態で電源▲１▼が停電すると、スイッチ▲２▼を「切」と同じ状況となり、照明リレー▲３▼は消磁され、停電時の時限点灯を可能とする。
図２は消灯時のみ、一定時間照明器具▲７▼の点灯を継続させる実施例を示す。スイッチ▲２▼により励磁される遅延リレー▲８▼を電気回路▲１２▼に設置する。スイッチ▲２▼を「切」とすると、自動スイッチ▲９▼は、一定時間経過後、遅延リレー▲８▼によりＯＦＦとなり電源▲１▼より照明器具▲７▼に供給される電力は停止される。スイッチ▲２▼を「入」とすると自動スイッチ▲９▼は遅延リレー▲８▼により即「入」となる。
コンデンサー▲６▼または遅延リレー▲８▼を含む電気回路▲１２▼を照明器具▲７▼の外部にある器具にを内蔵させた実施例を以下に示す。
図３は電気回路▲１２▼をプラグ▲１５▼に内蔵させた場合の実施例を示す。照明器具▲７▼はプラグ▲１５▼を電源▲１▼のコンセントに差し込み点灯される。この時、プラグ▲１５▼と照明器具▲７▼はケーブル▲１９▼で接続されており、プラグ▲１５▼には電気回路▲１２▼が挿入されている。
図４は電気回路▲１２▼をコンセント▲１７▼に内蔵させた場合の実施例を示す。プラグ▲１５▼と照明器具▲７▼はケーブル▲１９▼で接続されており、照明器具▲７▼はプラグ▲１５▼を電源▲１▼のコンセント▲１７▼に差し込み点灯される。この時、コンセント▲１７▼には電気回路▲１２▼が挿入されている。
図５は電気回路▲１２▼を回路挿入器具▲１８▼に内蔵させた場合の実施例を示す。プラグ▲１５▼と照明器具▲７▼はケーブル▲１９▼で接続されている。回路挿入器具▲１８▼はケーブル▲１９▼の途中に設置される。照明器具▲７▼はプラグ▲１５▼を電源▲１▼のコンセントに差し込み点灯される。
尚、電源回路▲１２▼にスイッチ▲２▼を含める事も可能である。
【発明の効果】
【０００６】  本発明により、照明器具▲７▼の改造や照明回路の改造無しで照明器具▲７▼の時限点灯が可能となる。また、照明器具▲７▼は非常灯の効果を兼ねるので、別途非常灯の設置が不要となる。
【図面の簡単な説明】
【図１】  消灯時、停電時、一定時間照明器具▲７▼の点灯を継続させる技術の説明図
【図２】  消灯時のみ、一定時間照明器具▲７▼の点灯を継続させる技術の説明図
【図３】  電気回路▲１２▼をプラグ▲１５▼に内蔵させた場合の実施例
【図４】  電気回路▲１２▼をコンセント▲１７▼に内蔵させた場合の実施例
【図５】  電気回路▲１２▼を回路挿入器具▲１８▼に内蔵させた場合の実施例
【符号の説明】
▲１▼は電源、▲２▼はスイッチ、▲３▼は照明リレー、▲４▼はリレーＡ、▲５▼はリレーＢ  ▲６▼はコンデンサー、▲７▼は照明器具、▲８▼は遅延リレー、▲９▼は自動スイッチ、▲１２▼は電気回路、▲１３▼コイル、▲１４▼は整流器、▲１５▼はプラグ、▲１７▼はコンセント、▲１８▼は回路挿入器具
【図１】
2008192591.tif 000003
【図２】
2008192591.tif 000004
【図３】
2008192591.tif 000005
【図４】
2008192591.tif 000006
【図５】
2008192591.tif 000007